【事件の表示】
　特願２０１５−１２４１５５「洗浄装置」拒絶査定不服審判事件〔平成２８年　２月　４日出願公開、特開２０１６−　１９９７４、請求項の数（４）〕について、次のとおり審決する。
【結　論】
　原査定を取り消す。
　本願の発明は、特許すべきものとする。
【理　由】
第１　手続の経緯
　本願は、平成２７年６月１９日（国内優先権主張、平成２６年６月２０日）の出願であって、平成２９年１月１７日付けで拒絶理由通知がされ、平成２９年３月２４日付けで意見書の提出と共に手続補正がされ、平成２９年７月２５日付けで拒絶査定（原査定）がされ、これに対し、平成２９年１０月３１日に拒絶査定不服審判の請求がされると同時に手続補正がされたものである。
第２　原査定の概要
　原査定（平成２９年７月２５日付け拒絶査定）の概要は次のとおりである。
「（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　記　　　（引用文献等については引用文献等一覧参照）
・請求項１−２、５
・引用文献等１−５
　請求項１−２、５に係る発明は、引用文献１−２及び、引用文献３−５に記載された周知技術に基いて、当業者が容易に想到し得たものと認めることができるので、特許法第２９条第２項の規定により、特許をすることができない。
引用文献等一覧
１.特開平１０−３４０９５号公報
２.特開平８−２８１１４４号公報
３.実願昭６２−１１９３４０号（実開昭６４−２３５４５号）のマイクロフィルム
４.特開平５−１４８９９８号公報
５.特開２００２−２７３３５１号公報」
第３　本願発明
　本願請求項１−４に係る発明（以下、それぞれ「本願発明１」−「本願発明４」という。）は、平成２９年１０月３１日付けの手続補正で補正された特許請求の範囲の請求項１−４に記載された事項により特定される以下のとおりの発明である。
「【請求項１】
洗浄液を貯蔵する複数のタンクと、被洗浄物を洗浄する洗浄ヘッドと、前記複数のタンクの洗浄液を前記洗浄ヘッドへ供給する供給側流路と前記洗浄ヘッドからの洗浄液を前記複数のタンクへ回収する回収側流路と、前記複数のタンクからの洗浄液を前記洗浄ヘッドへ送液する供給側送液手段と、前記洗浄ヘッドからの洗浄液を前記複数のタンクへ送液する回収側送液手段と、回収した洗浄液を浄化するフィルタと、前記複数のタンクの一方からの流路を、前記供給側流路及び回収側流路のいずれか一方に選択的に切り替えるとともに、前記複数のタンクの他方からの流路を、前記供給側流路及び回収側流路のいずれか他方に選択的に切り替える切替手段とを備え、前記複数のタンクからの洗浄液を前記供給側流路を流通させて前記洗浄ヘッドへ供給し、洗浄後の洗浄液を前記洗浄ヘッドから前記回収側流路を流通させて前記複数のタンクに回収する洗浄液の循環回路が形成されたものとし、
前記洗浄ヘッドは、下方に開口部を備えたヘッド本体と、前記開口部から露出した回転ブラシと、前記回転ブラシを回転駆動させる駆動手段と、前記供給側流路に接続され、前記複数のタンクからの洗浄液を前記回転ブラシへ供給する供給用ノズルと、前記回収側流路に接続され前記ヘッド本体内部の洗浄液を吸引する回収用ノズルとを備え、
前記ヘッド本体の開口部の全周に周縁ブラシを備え、
前記周縁ブラシの内側に止水パッキンを備えるとともに、
前記回収用ノズル及び前記止水パッキンは、前記周縁ブラシより下方へ突出して備えるとともに、前記止水パッキンは前記回収用ノズルより使用者の手元側に備え、
前記ヘッド本体下部には、複数のゴム製のガイドローラを前記ヘッド本体下部より下方へ突出して備えたことを特徴とする洗浄装置。
【請求項２】
洗浄液を貯蔵するタンクと、被洗浄物を洗浄する洗浄ヘッドと、前記タンクの洗浄液を前記洗浄ヘッドへ供給する供給側流路と前記洗浄ヘッドからの洗浄液を前記タンクへ回収する回収側流路と、前記タンクからの洗浄液を前記洗浄ヘッドへ送液する供給側送液手段と、前記洗浄ヘッドからの洗浄液をタンクへ送液する回収側送液手段と、回収した洗浄液を浄化するフィルタとを備え、前記タンクからの洗浄液を前記供給側流路を流通させて前記洗浄ヘッドへ供給し、洗浄後の洗浄液を前記洗浄ヘッドから前記回収側流路を流通させて前記タンクに回収する洗浄液の循環回路が形成されたものとし、
前記洗浄ヘッドは、下方に開口部を備えたヘッド本体と、前記開口部から露出した回転ブラシと、前記回転ブラシを回転駆動させる駆動手段と、前記供給側流路に接続され、前記タンクからの洗浄液を前記回転ブラシへ供給する供給用ノズルと、前記回収側流路に接続され前記ヘッド本体内部の洗浄液を吸引する回収用ノズルとを備え、
前記ヘッド本体の開口部の全周に周縁ブラシを備え、
前記周縁ブラシの内側に止水パッキンを備えるとともに、
前記回収用ノズル及び前記止水パッキンは、前記周縁ブラシより下方へ突出して備えるとともに、前記止水パッキンは前記回収用ノズルより使用者の手元側に備え、
前記ヘッド本体下部には、複数のゴム製のガイドローラを前記ヘッド本体下部より下方へ突出して備えたことを特徴とする洗浄装置。
【請求項３】
前記回転ブラシは一対の円盤状ブラシを備え、前記一対の円盤状ブラシは互いに異なる回転方向に回転し、前記一対の円盤状ブラシ周辺の前記洗浄液を前記一対の円盤状ブラシの回転に伴い前記回収用ノズルに案内可能とすることを特徴とする請求項１又は２に記載の洗浄装置。
【請求項４】
前記洗浄装置を移動手段に搭載して、移動可能に備えたことを特徴とする請求項１〜３のいずれか１項に記載の洗浄装置。」
第４　引用文献、引用発明等
１．引用文献１について
　原査定の拒絶の理由に引用された引用文献１には、図面とともに次の事項が記載されている（当審注：下線は当審で付加、引用箇所を示す。）。
「【０００８】
【課題を解決するための手段】上記目的を達成するため、本願発明の
洗浄器具、及びこれに用いる水循環装置
【０００９】
洗浄器具
は、
縁辺を有し、
略椀状の基体が形成され、該基体の縁辺には、
ブラシ体が取付られている
基体には、
吸引手段に接続され
吸引ポート
かつ基体
には、
給水手段に接続される
噴射ノズル
「【００１２】
洗浄器具１の主な構成要素は、基体２、ブラシ体３、噴射ノズル５、及び吸引ポート４であり
基体２は、
下方向
が開放された略椀状に形成され
【００１３】
ブラシ体３は、基体２の縁辺２ａに沿って
取付られている。
【００１４】噴射ノズル５は、基体２の裏面側（反ブラシ体側）から内側の空間２ｓを臨むようにして取付られており、その先端部には多数の噴射口が形成されている。その噴射口は、少なくともそこから噴射された噴射水が、前記ブラシ体３の植毛３ａに直接当たるように、かつ好ましくは内側の植毛３ａにまんべんなく当たるように構成されている。なお、併せて被洗浄体に直接当たるように構成してもよいのはもちろんである。
【００１５】
噴射ノズル５は、
給水ホース７を介して、
給水手段に接続されている。かかる構成により洗浄用水１４（以下「用水」と略称。）が供給されている。
「【００１７】次に、上記洗浄器具１に接続される水循環装置について説明する。図４は水循環装置の全体を概略的に示した縦断面図である。
水循環装置１０は、タンク１１、吸引手段、及びポンプ装置１２とから構成されている。タンク１１は、
所定量の用水１４が貯留されている。
【００１８】
タンク１１の上部には、吸引手段としてブロア１７が取付られている。
【００１９】また
タンク１１
には
コネクタ１９が取付られており、このコネクタ１９に前記エアーホース８を接続することにより、
洗浄器具１
とを連通するようにされている。
【００２０】
タンク１１内に貯留された用水１４は、
給水手段としてのポンプ装置１２によって、前記洗浄器具１の噴射ノズル５へ給水される。
ポンプ装置１２から噴射ノズル５への給水は、
給水ホース７を、噴射ノズル５
に接続する
【００２１】なお、前記したエアーホース８及び給水ホース７の接続箇所又は中間点には、管路内の流通を断続するためのコック２２（弁）が、それぞれ配置されている。また、本実施形態では、ブロア１７をタンク１１の上部に、ポンプ装置１２をタンク１１の下部にそれぞれ配置するようにしているが、タンク１１内の機能を損なわない限り、この配置に限定するものではない。
【００２２】次に本実施形態の作用について説明する。図５は本願実施形態の洗浄器具による洗浄の原理を説明する説明図であり、ブラシ体３と
被洗浄体である車両ボディ２３
【００２３】ブラシ体３の先端を
車両ボディ２３
の洗浄
【００２４】よごれ２４を取り込んだ
回収水１４ｂ
は、基体２内の空間２ｓがブロア１７の作動よって負圧状態にされていること
によって、
吸引ポート４から吸い込まれ
【００２５】
吸い込まれた
水は、エアーホース８及びコネクタ１９を通ってタンク１１
に取り込まれる。
【００２６】一方、
回収水１４ｂ
はタンク１１のなかに取り込まれて混合され、ろ過フィルタ２１でよごれ２４が濾し取られた後、再び
ポンプ装置１２によって、給水ホース７を経て洗浄器具の噴射ノズル５へ給水されて、
噴射ノズル５からの噴射水１４ａとして用いられる
【００２７】このようにして
洗浄用水１４の循環路が構成され
る。
　したがって、上記引用文献１には次の発明（以下、「引用発明」という。）が記載されていると認められる。
「車両ボディ２３を洗浄する洗浄器具１、及びこれに用いる水循環装置１０は、洗浄用水１４を貯留するタンク１１と、前記洗浄用水１４を前記洗浄器具１へ供給する給水ホース７と、前記洗浄器具１からの回収水１４ｂを前記タンク１１へ回収するエアーホース８及びコネクタ１９と、前記タンク１１からの前記洗浄用水１４を前記洗浄器具１へ給水する給水手段としてのポンプ装置１２と、前記洗浄器具１からの回収水１４ｂを前記タンク１１に取り込む吸引手段としてのブロア１７と、回収した回収水１４ｂを、タンク１１のなかに取り込み混合し、ろ過フィルタ２１でよごれ２４を濾し取った後、再び前記洗浄器具１へ給水する、前記洗浄用水１４の循環路とを備え、
　前記洗浄器具１は、下方向が開放された略椀状に形成された基体２と、前記給水手段としてのポンプ装置１２に給水ホース７を経て接続された噴射ノズル５と、前記吸引手段としてのブロア１７に接続され前記洗浄器具１の前記回収水１４ｂを前記エアーホース８及びコネクタ１９を通って吸引する吸引ポート４と、前記基体２の縁辺２ａに沿ったブラシ体３とを備えた、
　洗浄器具１、及びこれに用いる水循環装置１０。」
２．引用文献２について
　原査定の拒絶の理由に引用された引用文献２には、図面とともに次の事項が記載されている。
「【請求項３】洗浄液タンクから三方弁を介して金型の水管路の入液口に送液管を配管し、かつ前記三方弁から水洗用タンクに送液管を配管し、さらに前記水管路の入液口よりも洗浄液タンク寄り部位で送液管に空気取入れ弁を接続し、前記水管路の出液口からフィルターを介して、自吸可能及び空運転可能な吸引ポンプの吸込口に送液管を配管し、該吸引ポンプの吐出口から排液用切換弁と別の三方弁とを順次に経由して洗浄液タンク及び水洗用タンクに送液管を脱着可能に配管した金型の水管路用簡易洗浄システム。」（【特許請求の範囲】）
「【００２２】次に請求項３を図２で説明する。説明に先立って請求項１、同２で説明したと同じ部材、機器，構造などについては、図２に図１と同じ符号を記入して重複説明を省略する。請求項１のシステムと異る請求項３のシステムは、送液管４に２個の三方弁１０、１１を介在せしめたこと、洗浄液タンク１及び水洗用タンク９の両方を送液管４に脱着可能に接続したことなどである。
【００２３】一方の三方弁１０は、洗浄液タンク１からマニホルド１３へ至る途中で送液管４に接続し、該三方弁から水洗用タンク９へも送液管４を配管し、三方弁１０を切換え、吸引ポンプ７を運転することによって、洗浄液タンク１内の洗浄液と水洗用タンク９内の水（若しくは中和処理液）とを交互に金型２の水管路３に循環せしめ得るように構成する。
【００２４】他方の三方弁１１は、排液用切換弁８から洗浄液タンク１へ至る途中で送液管４に接続し、該三方弁から水洗用タンク９にも送液管４を配管し、三方弁１１を切換え、吸引ポンプ７を運転することによって、汚濁洗浄液と残存洗浄液を洗浄した汚濁水（若しくは汚濁処理液）とを交互に洗浄液タンク１と水洗用タンク９とに回収し得るように構成する。」
　したがって、上記引用文献２には次の技術的事項が記載されていると認められる。
「送液管４に２個の三方弁１０、１１を介在せしめ、洗浄液タンク１及び水洗用タンク９の両方を送液管４に接続し、三方弁１０を切換え、吸引ポンプ７を運転することによって、洗浄液タンク１内の洗浄液と水洗用タンク９内の水とを交互に水管路３に循環せしめ得るように構成し、他方の三方弁１１は、排液用切換弁８から洗浄液タンク１へ至る途中で送液管４に接続し、該三方弁から水洗用タンク９にも送液管４を配管し、三方弁１１を切換え、吸引ポンプ７を運転することによって、汚濁洗浄液と残存洗浄液を洗浄した汚濁水とを交互に洗浄液タンク１と水洗用タンク９とに回収し得る金型の水管路用簡易洗浄システム。」
３．その他の文献について
　原査定において周知技術として引用された、引用文献３の【実用新案登録請求の範囲】には、「(1)走行自在な台車のフレーム本体上面および側面をカバーで覆い、このカバー内に高圧水により回転駆動され、かつ走行面に高圧水を噴射する回転式ジェットノズルを備えた高圧水噴射ユニットと、この高圧水噴射ユニットの後方に、ブラシとバキュームコレクターに接続した吸入管の開口部とを位置させて装備したことを特徴とするコンクリート打継面処理装置。」と記載されている。
　原査定において周知技術として引用された、引用文献４の段落【０００６】には、「この発明のブラシ式ずり回収装置にあっては、ロールブラシの回転によって走行面上のずりを跳ね上げるとともに、噴射ノズルからの噴流によって走行面の凹凸に取り残された細かい土砂をロールブラシに送るかまたは噴流の流れにのせて回収ボックス内に回収する。」と記載されている。
　原査定において周知技術として引用された、引用文献５の段落【００１４】には、「本発明に係る太陽電池パネル外装面クリ−ニング装置は、一般的に屋根斜面上に架設取り付けられる太陽電池パネルの外装面に、前記洗浄装置本体２に付け替え自在に装着され、かつ同一方向及び／又は逆方向に回動可能とした少なくとも２個以上の洗浄ブラシ３を当接状態とし走行移動させ、該パネル外装面１３に損傷等を与えず略均等化された荷重を作用させ揺動可能に装着された洗浄ブラシ３によってパネル外装面１３の洗浄清掃を行うように構成されている。」と記載されている。
第５　対比・判断
　事案に鑑み、まず本願発明２について検討を行う。
１．本願発明２について
（１）対比
　本願発明２と引用発明とを対比すると、次のことがいえる。
　引用発明の「洗浄用水１４」、「貯留」、「タンク１１」、「車両ボディ２３」、「洗浄器具１」は、それぞれ、本願発明２の「洗浄液」、「貯蔵」、「タンク」、「被洗浄物」、「洗浄ヘッド」に相当する。
　引用発明の「前記洗浄用水１４を前記洗浄器具１へ供給する給水ホース７」は、本願発明２の「前記タンクの洗浄液を前記洗浄ヘッドへ供給する供給側流路」に相当する。
　引用発明の「前記洗浄器具１からの回収水１４ｂ」は、本願発明２の「前記洗浄ヘッドからの洗浄液」に相当し、引用発明の「エアーホース８及びコネクタ１９」は、本願発明２の「回収側流路」に相当するので、引用発明の「前記洗浄器具１からの回収水１４ｂを前記タンク１１へ回収するエアーホース８及びコネクタ１９」は、本願発明２の「前記洗浄ヘッドからの洗浄液を前記タンクへ回収する回収側流路」に相当する。
　引用発明の「前記タンク１１からの前記洗浄用水１４を前記洗浄器具１へ給水する給水手段としてのポンプ装置１２」は、本願発明２の「前記タンクからの洗浄液を前記洗浄ヘッドへ送液する供給側送液手段」に相当する。
　引用発明の「前記洗浄器具１からの回収水１４ｂを前記タンク１１に取り込む吸引手段としてのブロア１７」は、本願発明２の「前記洗浄ヘッドからの洗浄液を前記タンクへ送液する回収側送液手段」に相当する。
　引用発明の「回収した回収水１４ｂを、タンク１１のなかに取り込み混合し、ろ過フィルタ２１でよごれ２４を濾し取」る態様は、本願発明２の「フィルタ」で「回収した洗浄液を浄化する」態様に相当するので、引用発明の「前記洗浄器具１からの回収水１４ｂを前記タンク１１へ回収するエアーホース８及びコネクタ１９と」、「前記洗浄器具１からの回収水１４ｂを前記タンク１１に取り込む吸引手段としてのブロア１７と」により、「回収した回収水１４ｂを、タンク１１のなかに取り込み混合し、ろ過フィルタ２１でよごれ２４を濾し取った後」、「前記洗浄用水１４を前記洗浄器具１へ供給する給水ホース７と」、「前記タンク１１からの前記洗浄用水１４を前記洗浄器具１へ給水する給水手段としてのポンプ装置１２と」によって、「再び前記洗浄器具１へ給水する、前記洗浄用水１４の循環路」が形成される態様は、本願発明２の「回収した洗浄液を浄化するフィルタ」「を備え」、「前記タンクからの洗浄液を前記供給側流路を流通させて前記洗浄ヘッドへ供給し、洗浄後の洗浄液を前記洗浄ヘッドから前記回収側流路を流通させて前記タンクに回収する洗浄液の循環回路」が形成される態様に相当する。
　引用発明の「基体２」は、洗浄器具１の基体であり、洗浄器具１の本体部分を構成するものといえるので、本願発明２の「ヘッド本体」に相当し、引用発明の「下方が開放された略椀状に形成された基体２」は、本願発明２の「下方に開口部を備えたヘッド本体」に相当する。
　引用発明の「前記給水手段としてのポンプ装置１２に給水ホース７を経て接続された噴射ノズル５」と、本願発明２の「前記開口部から露出した回転ブラシと、前記回転ブラシを回転駆動させる駆動手段と、前記供給側流路に接続され、前記複数のタンクからの洗浄液を前記回転ブラシへ供給する供給用ノズル」とは、「前記供給側流路に接続され、前記タンクからの洗浄液を供給する供給用ノズル」である点において共通する。
　引用発明の「吸引ポート４」は、エアーホース８へと水を吸引する機能からみて筒口（ノズル）として構成されるものといえ、引用発明の「前記吸引手段としてのブロア１７に接続され前記洗浄器具１の前記回収水１４ｂを前記エアーホース８及びコネクタ１９を通って吸引する吸引ポート４」は、本願発明２の「前記回収側流路に接続され前記ヘッド本体内部の洗浄液を吸引する回収用ノズル」に相当する。
　引用発明の「前記基体２の縁辺２ａに沿ったブラシ体３」を備える態様は、本願発明２の「前記ヘッド本体の開口部の全周に周縁ブラシ」を備える態様に相当する。
　引用発明の「洗浄器具、及びこれに用いる水循環装置」は、本願発明２の「洗浄装置」に相当する。
　したがって、本願発明２と引用発明との間には、次の一致点、相違点があると認める。
（一致点）
「洗浄液を貯蔵するタンクと、被洗浄物を洗浄する洗浄ヘッドと、前記タンクの洗浄液を前記洗浄ヘッドへ供給する供給側流路と前記洗浄ヘッドからの洗浄液を前記タンクへ回収する回収側流路と、前記タンクからの洗浄液を前記洗浄ヘッドへ送液する供給側送液手段と、前記洗浄ヘッドからの洗浄液を前記タンクへ送液する回収側送液手段と、回収した洗浄液を浄化するフィルタとを備え、前記タンクからの洗浄液を前記供給側流路を流通させて前記洗浄ヘッドへ供給し、洗浄後の洗浄液を前記洗浄ヘッドから前記回収側流路を流通させて前記タンクに回収する洗浄液の循環回路が形成されたものとし、
　前記洗浄ヘッドは、下方に開口部を備えたヘッド本体と、
　前記供給側流路に接続され、前記タンクからの洗浄液を供給する供給用ノズルと、
　前記回収側流路に接続され前記ヘッド本体内部の洗浄液を吸引する回収用ノズルと、
　前記ヘッド本体の開口部の全周に周縁ブラシを備えた洗浄装置。」
（相違点）
（相違点１）本願発明２は「前記開口部から露出した回転ブラシと、前記回転ブラシを回転駆動させる駆動手段」を備え、「洗浄液を前記回転ブラシへ供給する」ものであるのに対し、引用発明は、回転ブラシに関する構成を備えていない点。
（相違点２）本願発明２は、「前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えた」ものであるのに対し、引用発明は、そのような構成を備えていない点。
（２）相違点についての判断
　事案に鑑み、先ず上記相違点２について検討すると、原査定の拒絶の理由に引用された引用文献１乃至５のいずれにも、「前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えた」という事項を開示する記載はない。
　本願発明２は、「前記止水パッキンは前記回収用ノズルより使用者の手元側に備え」たという発明特定事項を採用することで、傾斜面の洗浄液を確実に堰き止めて洗浄液を回収することができ、また、「前記ヘッド本体下部には、複数のゴム製のガイドローラを前記ヘッド本体下部より下方へ突出して備え」たという発明特定事項を採用することで、ヘッド本体を被洗浄物に接触させて被洗浄物を破損するのを防ぐという優れた作用効果を奏するものである。
　したがって、相違点１について検討するまでもなく、本願発明２は、引用発明に、引用文献２に記載された技術的事項および、引用文献３〜５に記載された周知の技術的事項を適用することにより、当業者が容易に発明をすることができたものとはいえない。
２．本願発明１、３、４について
　本願発明１は、本願発明２の発明特定事項をすべて備えると共に、他の限定を付加したものである。
　そうすると、本願発明１は、上記相違点２の「前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えた」という発明特定事項を備えるものであるから、他の相違点について検討するまでもなく、本願発明１は、引用発明に、引用文献２に記載された技術的事項および、引用文献３〜５に記載された周知の技術的事項を適用することにより、当業者が容易に発明をすることができたものとはいえない。
　本願発明３、４は、本願発明１又は２にさらに限定を付加したものである。
　そうすると、本願発明３、４は、上記相違点２の発明特定事項を有するものであるから、引用発明に、引用文献２に記載された技術的事項および、引用文献３〜５に記載された周知の技術的事項を適用することにより、当業者が容易に発明をすることができたものとはいえない。
第６　原査定について
　審判請求時の補正により、本願発明１−４は、「前記周縁ブラシの内側に止水パッキンを備えるとともに、前記回収用ノズル及び前記止水パッキンは、前記周縁ブラシより下方へ突出して備えるとともに、前記止水パッキンは前記回収用ノズルより使用者の手元側に備え、前記ヘッド本体下部には、複数のゴム製のガイドローラを前記ヘッド本体下部より下方へ突出して備えた」という発明特定事項を有するものとなっており、拒絶査定において引用された引用文献１−５に基いて、当業者が容易に発明をすることができたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。